(57)【要約】【課題】工事現場等の囲うべき一辺の長さの相違やコーナー部に容易に対応できると共に運搬や製造コストを大幅に低減可能とする。【解決手段】第１の連結支柱２、第２の連結支柱３および中間に配置される第３の連結支柱４にそれぞれ嵌合溝２ａ等を設け、これらの嵌合溝間に板材５を挿入して仮囲い板１を構成する。したがって板材５の幅をかえるだけで容易に仮囲い板１の横幅を変えることができる。カーブした板材５を用いればコーナー部を容易に囲むことができる。個々の部品に分離できるので、運搬、取扱い等が容易になり製造コストも大幅に削減できる。【選択図】    図２
2004346528.tif 000002
【特許請求の範囲】
【請求項１】
第１の連結支柱と、第２の連結支柱と、これらの連結支柱の間に配置される板材とを備え、
上記第１の連結支柱と第２の連結支柱とには、それぞれ長手方向に沿ってその一端部に嵌合溝と係止部とが設けてあると共に、他端部に嵌合部が設けてあり、
上記板材の両端部を上記第１の連結支柱の嵌合溝と第２の連結支柱の嵌合溝とに嵌合させ、
上記第１の連結支柱の嵌合部と第２の連結支柱の嵌合部とを互いに嵌合させて配列し、
上記係止部に連結用のパイプを取り付けて使用する
ことを特徴とする仮囲い板。
【請求項２】
第１の連結支柱と、第２の連結支柱と、これらの中間に配置される第３の連結支柱と、これらの連結支柱の間にそれぞれ配置される板材とを備え、
上記第１の連結支柱と第２の連結支柱とには、それぞれ長手方向に沿ってその一端部に嵌合溝と係止部とが設けてあると共に、他端部に嵌合部が設けてあり、
上記第３の連結支柱の両端部には、長手方向に沿って嵌合溝と係止部とが設けてあり、
それぞれの上記板材の両端部を上記第１の連結支柱の嵌合溝と第３の連結支柱の嵌合溝、及びこの第３の連結支柱の嵌合溝と第２の連結支柱の嵌合溝とに嵌合させ、
上記第１の連結支柱の嵌合部と第２の連結支柱の嵌合部とを互いに嵌合させて配列し、
上記係止部に連結用パイプを取り付けて使用する
ことを特徴とする仮囲い板。
【請求項３】
請求項１〜２のいずれかにおいて、上記板材は、その両端部の間で屈曲していることを特徴とする仮囲い板。
【請求項４】
請求項１〜３のいずれかの１において、上記板材は中空の合成樹脂材からなることを特徴とする仮囲い板。
【発明の詳細な説明】
【０００１】
【発明の属する技術分野】
本発明は、建設または工事現場等の周囲に設置される仮囲い板に関する。
【０００２】
【従来の技術】
従来から建築現場等では、部外者の立ち入りや、通行人あるいは隣接物に対する損傷等を防止するため、図５に示すように、その周囲に多数の仮囲い板１０１を配列して工事を行っている。仮囲い板１０１は、通常幅が３０〜１００ｃｍ、高さが約３ｍの大きさであって、複数枚を横に配列し、内側の例えば上中下の３段階個所に連結用のパイプ１０６を水平に取付け、その他のパイプ１０６で支持して地面等に立設している。ところで図６あるいは図７に例示するように、従来、仮囲い板１０１，２０１は、金属板や合成樹脂材等で成形されているが、いずれも平板状の本体部の両側端部に嵌合部１０２ｂ，１０３ｂ，２０２ｂ，２０３ｂが形成してあり、互いに隣接する仮囲い板同士が、配列方向及び内外方向にずれないようにしている（例えば、特許文献１および２参照）。
【０００３】
【特許文献１】
特開平１１−１３１８１９号公報（第１−４頁、第２図）
【特許文献２】
特開２００２−２１３３７号公報（第１−４頁、第２図）
【０００４】
【発明が解決しようとする課題】
しかしこれら従来の仮囲い板には、次の改良すべき問題点があった。すなわち仮囲い板を複数枚配列していくと、工事現場等の囲うべき一辺の長さが、その仮囲い板の幅寸法で割り切れず、その仮囲い板より狭い幅の隙間が空いてしまうことがある。従来この隙間を埋めるためには、仮囲い板を中央部で２分割して、この分割した部分を重ね合わせて仮囲い板の幅を調整しており、多大な手間が掛かっていた。また工事現場のコーナー部分を、隙間が出ないように囲うことが困難であった。
【０００５】
また仮囲い板を車両等で運搬するときに、かさばって一度に多くを搭載できないという問題があった。すなわち仮囲い板自体は薄板からなるが、上述したように両端部に嵌合部が出っ張っているため、密着して重ね合わせることができず、重ね合わせて搭載するときに、この嵌合部の高さ分の隙間が生じ、その隙間分のスペースが無駄になっていた。さらに仮囲い板は、上述したように幅３０〜１００ｃｍ、高さ約３ｍというかなりの大きさを有するため、重量や製造コストを大幅に低減することが困難であった。
【０００６】
そこで本発明の目的は、工事現場の囲うべき幅の相違やコーナー部に容易に対応でき、運搬や製造コストを大幅に低減可能な仮囲い板を提供することにある。
【０００７】
【課題を解決するための手段】
上記課題を解決すべく、本発明による仮囲い板の特徴は、第１の連結支柱と、第２の連結支柱と、これらの連結支柱の間に配置される板材とを備えていることにある。第１の連結支柱と第２の連結支柱とには、それぞれ長手方向に沿ってその一端部に嵌合溝と係止部とが設けてあると共に、他端部に嵌合部が設けてある。そして板材の両端部を、上記第１の連結支柱の嵌合溝と第２の連結支柱の嵌合溝とに嵌合させ、第１の連結支柱の嵌合部と第２の連結支柱の嵌合部とを互いに嵌合させて配列し、係止部に連結用パイプを取り付けて使用する。
【０００８】
本発明による仮囲い板の次の特徴は、第１の連結支柱と、第２の連結支柱と、これらの中間に配置される第３の連結支柱と、これらの連結支柱の間にそれぞれ配置される板材とを備えていることにある。第１の連結支柱と第２の連結支柱とには、それぞれ長手方向に沿って、その一端部に嵌合溝と係止部とが設けてあると共に、他端部に嵌合部が設けてある。また第３の連結支柱の両端部には、長手方向に沿って、嵌合溝と係止部とが設けてある。そしてそれぞれの板材の両端部を、第１の連結支柱の嵌合溝と第３の連結支柱の嵌合溝、及び第３の連結支柱の嵌合溝と第２の連結支柱の嵌合溝とに嵌合させ、第１の連結支柱の嵌合部と第２の連結支柱の嵌合部とを互いに嵌合させて配列し、係止部に連結用パイプを取り付けて使用する。なお第３の連結支柱は、１つに限らず複数個の場合も含まれる。
【０００９】
このように発明を構成することによって、次の作用効果を得ることができる。第１に、板材の横幅をかえることによって、仮囲い板の横幅を調整できるので、工事現場等の囲うべき一辺の長さに合わせて、隙間を生じさせることなく、仮囲い板を配列することができる。なお後述するように、切断が容易な合成樹脂等で板材を形成すれば、工事現場において、仮囲い板の横幅を任意かつ容易に調整することができる。第２に、仮囲い板を第１、第２および第３の連結支柱と、板材とに分離すれば、板材同士を密着して積み重ねることができるため、車両等による運搬に際して、搭載スペースに無駄がなくなり、一度に多くを運搬することができる。
【００１０】
第３に、仮囲い板全体は、上述したように幅３０〜１００ｃｍ、高さ約３ｍというかなりの大きさと重量とを有するが、第１、第２および第３の連結支柱と板材とを別々に製作して、運搬や組立を行うことができるので、製造コストを大幅に低減することができると共に、取扱いが容易になる。
【００１１】
本発明による仮囲い板の次の特徴は、上述した板材は、その両端部の間で屈曲していることにある。
【００１２】
すなわち両端部の例えば中央部で屈曲した板材を用いた仮囲い板を使用することによって、工事現場の角隅部分を、隙間を生じさせることなく、容易に囲むことができる。
【００１３】
本発明による仮囲い板のさらなる特徴は、上述した板材は、中空の合成樹脂材からなることにある。
【００１４】
すなわち中空の合成樹脂材を使用することによって、板材の剛性を高めつつ重量と材料費を大幅に削減することができる。また鋸等によって板材を容易に切断できるので、工事現場において板材の横幅を自由に調整することが可能になる。さらに透明な合成樹脂材の中空内壁面を粗く仕上げることによって、板材を容易に半透明にすることができるので、現場内部の透視を防止しつつ、仮囲い板の陰になる部分に適度な日当たりを確保することができる。
【００１５】
【発明の実施の形態】
図１〜図４を参照しつつ、本発明による仮囲い板について説明する。まず図１は、仮囲い板を複数枚横方向に配列して使用した状態を示している。すなわち仮囲い板１の全体サイズは、高さが３ｍ、横幅が１ｍであって、それぞれアルミ製の第１の連結支柱２と、第２の連結支柱３と、これらの中間に配置される第３の連結支柱４と、これらの連結支柱の間にそれぞれ配置される、平板形状をしたポリカーボネ−ド製の板材５，５とを備えている。また図２に示すように、第１の連結支柱２と第２の連結支柱３とには、それぞれ長手方向（図中上下方向）に沿って、その一端部にそれぞれコの字断面形状の嵌合溝２ａ，３ａと、係止部２ｃ，３ｃとが設けてある。
【００１６】
第１の連結支柱２の他端部には、長手方向に沿って半円断面形状の突起部２ｂが設けてあり、一方第２の連結支柱３の他端部には、長手方向に沿って円弧断面形状の段差部３ｂが設けてあり、両者を隣接した場合に相互に嵌合する形状になっている。また第３の連結支柱４の両端部には、長手方向に沿ってそれぞれコの字断面形状の嵌合溝４ａ，４ａと、係止部４ｃ，４ｃとが設けてある。板材５，５の内部はそれぞれ、矩形断面形状の中空部５ａ，５ａが配列して形成してある。なお中空部５ａ，５ａの内壁面は、粗く仕上げてあって、板材５，５を半透明にしている。
【００１７】
さて図１に戻って、上述した仮囲い板１の使用について説明を続ける。まず工事現場等において、それぞれの板材５，５の両端部５ｂ，５ｂを、第１の連結支柱２、第３の連結支柱４及び第２の連結支柱３の嵌合溝２ａ，４ａ，４ａ，３ａに差し込んで、仮囲い板１を組み立てる。次に仮囲い板１を、工事現場等の囲うべき一辺に沿って順次配列させ、互いに隣接する第１の連結支柱２の突起部２ｂと、第２の連結支柱４の段差部３ｂとを相互に嵌合させる。
【００１８】
そして配列した仮囲い板１の上中下部の３箇所において、連結用のパイプ６を、取り付け金具７によって係止部２ｃ，４ｃ，４ｃ，３ｃに取り付けて固定する。取り付け金具７は、Ｕの字断面形状の本体部７ａの先端部に、一対のアーム部７ｂが回転自在に取り付けてあり、このアーム部の先端に設けた係止爪を、係止部４ｃ等に差し込んで、この本体部に設けた締め付けねじ７ｃをねじ込んで、連結用のパイプ６を固定する。なお締め付けねじ７ｃをねじ込んでいくと、一対のアーム部７ｂが、係止部４ｃ等を挟み込むように内側に向かって回転する。したがって、隣接する仮囲い板１の両端面は互いに押圧され、隙間の発生を防止するとともに、全体剛性を増加させることができる。
【００１９】
図３に、横幅を狭くした板材１５を使用した仮囲い板１１を示す。なおこの仮囲い板１１は、第１の連結支柱１２と、第２の連結支柱１３との間に、第３の連結支柱を設けておらず、両者の間に一枚の板材１５を配置している。このように横幅を調整した仮囲い板１１を使用することによって、工事現場等の囲うべき一辺を、隙間を生じさせることなく、容易に囲むことができる。
【００２０】
図４に、屈曲させた板材２５を使用した仮囲い板２１を示す。すなわち板材２５は、両端部２５ｂ，２５ｂの間で９０度に屈曲させてコーナー部２５ｃを形成してあり、その両端部がそれぞれ、第１の連結支柱２２と第２の連結支柱２３との嵌合溝２２ａ，２３ａに挿入されている。このような仮囲い板２１を使用することによって、工事現場等の角隅部分を、隙間を生じさせることなく容易に囲むことができる。
【００２１】
なお第１の連結支柱２等は、アルミ製に限らず、その他の金属や合成樹脂材で形成してもよい。また板材５等は、ポリカーボネ−ド製に限らず、その他の合成樹脂や軽金属材等で形成してもよい。また第１の連結支柱２等と、第２の連結支柱３等の、嵌合部２ｂ，３ｂ等の形状は、半円および円弧断面形状に限らず、配列方向と内外方向とが相互に拘束できる形状であれば他の形状でもよい。さらに取り付け金具７は、上述した形状に限らず、連結用のパイプ６を係止部２ｃ等に固定できるものであれば、他の形状であってもよい。
【００２２】
【発明の効果】
第１に、板材の横幅を変えることによって、仮囲い板の横幅を調整できるので、工事現場等の囲うべき一辺の長さに合わせて、隙間を生じさせることなく、仮囲い板を配列することができる。第２に、仮囲い板を第１の連結支柱等と、板材とに分離すれば、板材同士を密着して積み重ねることができるため、一度に多く搭載して運搬することができる。第３に、第１の連結支柱等と板材とを別々に製作、運搬あるいは組立を行うことができるので、製造コストを大幅に低減することができると共に、取扱いが容易になる。
【００２３】
第４に、屈曲した板材を使用した仮囲い板を用いることによって、工事現場のコーナー部を、隙間を生じさせることなく、容易に囲むことができる。第５に、中空の合成樹脂材からなる板材を使用することによって、板材の剛性を高めつつ重量と材料費とを削減することができる。また鋸等によって板材を容易に切断できるので、工事現場において板材の横幅を変更することが可能になる。
【図面の簡単な説明】
【図１】仮囲い板の使用状態を示す斜視図である。
【図２】仮囲い板の断面図である。
【図３】他の仮囲い板の断面図である。
【図４】屈曲した板材を使用した仮囲い板の断面図である。
【図５】従来例による仮囲い板の使用状態を示す斜視図である。
【図６】従来例による仮囲い板の斜視図である。
【図７】従来例による他の仮囲い板の断面図である。
【符号の説明】
１，１１，２１      仮囲い板
２，１２，２２      第１の連結支柱
２ａ，２２ａ        嵌合溝
２ｂ                突起部（嵌合部）
２ｃ                係止部
３，１３，２３      第２の連結支柱
３ａ，２３ａ        嵌合溝
３ｂ                段差部（嵌合部）
３ｃ                係止部
４                  第３の連結支柱
４ａ                嵌合溝
４ｃ                係止部
５，１５，２５      板材
６                  連結用のパイプ
７                  取り付け金具
【図１】
2004346528.tif 000003
【図２】
2004346528.tif 000004
【図３】
2004346528.tif 000005
【図４】
2004346528.tif 000006
【図５】
2004346528.tif 000007
【図６】
2004346528.tif 000008
【図７】
2004346528.tif 000009